(57)【要約】【課題】  生産性を向上可能とし、装置の構成を簡素化すると共に小型化可能とし、廉価に製造可能とした、感光性印刷版の自動供給装置を新たに提供する。【解決手段】  一方の感光性印刷版１０表面の感光面１０Ａ上に他方の感光性印刷版１０の裏面を直接接触させて積層した状態で運搬や保管が可能な特性を持つ感光性印刷版１０が所定複数枚重ねられて束にされたものを、感光性印刷版１０の自動供給装置内に装填した状態で、枚葉供給装置１１２により、感光性印刷版１０の束から、感光性印刷版１０を１枚づつ分離して露光装置１１４へ搬出する。よって、合紙取り出し機構によって感光性印刷版の感光面上から合紙を分離し、この分離した合紙を合紙搬送機構によって合紙集積部へ搬送し、合紙集積部の合紙廃棄場所にストックさせるための構成を、自動送給装置内に配置する必要を無くすことができる。さらに、合紙を分離し、搬送してストックさせる工程を省略して、感光性印刷版１０を次々に搬出できる。【選択図】  図２
2006176287.tif 000002
【特許請求の範囲】
【請求項１】
一方の感光性印刷版表面の感光面上に他方の感光性印刷版の裏面を直接接触させて積層した状態で運搬や保管が可能な特性を持つ前記感光性印刷版が所定複数枚重ねられて束にされたものを装填した状態で、前記感光性印刷版の束から、前記感光性印刷版を１枚づつ分離して露光装置へ搬出する枚葉供給装置を備えたことを特徴とする感光性印刷版の自動供給装置。
【請求項２】
一方の感光性印刷版表面の感光面上に他方の感光性印刷版の裏面を直接接触させて積層した状態で運搬や保管が可能な特性を持つ前記感光性印刷版が所定複数枚重ねられて束にされたものが、前記感光性印刷版の束の端部を載置する棚部材が設けられ、斜めに配置された支持台上に斜めに持たせ掛けるように載置される保管棚と、
前記保管棚上に載置された前記感光性印刷版の束から、前記感光性印刷版を１枚づつ分離して引き出す搬出手段と、
前記搬出手段で引き出された前記各感光性印刷版を、露光装置へ搬出する搬送路に沿って主搬送ベルトを配置した主搬送ベルト巻き掛け機構と、
前記主搬送ベルトに前記感光性印刷版を圧接して保持する副搬送ベルトを配置した副搬送ベルト巻き掛け機構と、
前記主搬送ベルトと、前記副搬送ベルトとを搬送方向上流側で添わせるように配置された中間ローラと、
前記中間ローラから延出する前記主搬送ベルトに、前記搬出手段で引き出された前記感光性印刷版の先端を当てるガイド範囲を設定するよう配置された先端のローラと、
を有することを特徴とする感光性印刷版の自動供給装置。
【請求項３】
前記搬出手段を、搬出用ローラで構成したことを特徴とする請求項２に記載の感光性印刷版の自動供給装置。
【請求項４】
前記搬出手段を、搬送用操作アームの先端に設けた吸盤を吸着させて前記感光性印刷版を持ち上げるようにして保持しながら搬送方向へ移動させるように構成したことを特徴とする請求項２に記載の感光性印刷版の自動供給装置。
【請求項５】
一方の感光性印刷版表面の感光面上に他方の感光性印刷版の裏面を直接接触させて積層した状態で運搬や保管が可能な特性を持つ前記感光性印刷版が所定複数枚重ねられて束にされたものを収納する、開閉蓋部が開閉可能に装着された遮光カセットと、
前記遮光カセット内で前記感光性印刷版の束を載置するように設置された台座部材と、
前記遮光カセットが、前記開閉蓋部を開放して接続された状態で、前記遮光カセットに穿設された操作用開口を通して操作部材を延出して前記台座部材を押し上げる搬送高さ調整機構と、
前記台座部材上に載置された最上位の前記感光性印刷版に転接して搬出する搬出用ローラと、
前記搬出用ローラで引き出された前記各感光性印刷版を、露光装置へ搬出する搬送路に沿って主搬送ベルトを配置した主搬送ベルト巻き掛け機構と、
前記主搬送ベルトに前記感光性印刷版を圧接して保持する副搬送ベルトを配置した副搬送ベルト巻き掛け機構と、
前記主搬送ベルトと、前記副搬送ベルトとを搬送方向上流側で添わせるように配置された中間ローラと、
前記中間ローラから延出する前記主搬送ベルトに、前記搬出手段で引き出された前記感光性印刷版の先端を当てるガイド範囲を設定するよう配置された先端のローラと、
を有することを特徴とする感光性印刷版の自動供給装置。
【発明の詳細な説明】
【技術分野】
【０００１】
この発明は、複数の感光性印刷版だけを束ねたものを装填し、各感光性印刷版を１枚づつ分離して搬出する枚葉供給装置を供えた感光性印刷版の自動供給装置に関する。
【背景技術】
【０００２】
一般に、オフセット印刷には、感光性印刷版（いわゆるＰＳ版）が利用されている。また、この平版印刷の分野では、未露光の感光性印刷版の供給を受けて、この感光性印刷版に対しコンピュータ等のデジタルデータに基づいてレーザ露光処理をし、自動現像機で感光性印刷版上に形成された潜像を顕像に変換する現像処理をして直接印刷版を製版するＣＴＰ（Ｃｏｍｐｕｔｅｒ  ｔｏ  Ｐｌａｔｅ）システムが実用化されている。
【０００３】
このＣＴＰシステムには、感光性印刷版の自動供給装置を備えたものがある。この感光性印刷版の自動供給装置は、複数枚の感光性印刷版と合紙とが交互に積層されて束にされたものを遮光された自動供給装置のハウジング内に装填し、製版作業の開始と共に自動供給装置の枚葉供給装置によって感光性印刷版の束から合紙を除き感光性印刷版を１枚ずつ分離して、露光処理部側へ搬出する。
【０００４】
このようなＣＴＰシステムに用いられる感光性印刷版は、例えば、薄いアルミニウム板の表面上へ感光層を塗布して形成されており、僅かな光によっも露光されて感光層に変化が生じる。また、空気中の水分を吸収して感光層に変化を生じるという性質を持つ。
【０００５】
さらに、従来の感光性印刷版では、感光面に圧力が加わったとき感光層に変化を生じるいわゆる圧力カブリや外力によって傷が付くことに対して、比較的影響を受け易いのが普通であった。
【０００６】
そこで、感光性印刷版を工場で製造してから、運搬し、保管する流通過程を経てＣＴＰシステムの自動供給装置に装填するまでの間に、感光性印刷版に圧力カブリを生じたり傷が付くといった品質変化を生じることを防止するため、各感光性印刷版の感光面上にそれぞれ保護用の紙（合紙）を配置したものを所定の枚数づつ束にし、その束の表面及び裏面にそれぞれ厚紙（段ボール製のいわゆる当てボール）を配置し、これらを粘着テープ等の固定手段で束ずれを抑制するよう固定して一体的に束ねている。すなわち、このように一体的に束ねられた所定複数の感光性印刷版の束は、感光性印刷版と合紙とが交互に積層された状態になっている。
【０００７】
さらに、このように一体的に束ねられた所定複数枚の感光性印刷版の束は、遮光性及び防湿性を有する内装紙（包装材）によって梱包される。この内装紙（包装材）としては、例えば、クラフト紙にポリエチレンを溶融塗布してアルミニウム箔を貼着したアルミクラフト紙や、クラフト紙にブラックカーボンを混合した溶融ポリエチレンを塗布した黒色ポリエチレンラミネートクラフト紙等の高い遮光性及び防湿性を有する紙を使用している。
【０００８】
また、感光性印刷版の運搬工程や保管工程で、感光性印刷版や内装紙が破損等してしまうことを防止するため、包装箱を別途製造し、この包装箱に、内装紙により包装された感光性印刷版を収納している。包装箱としては、例えば、軽量で高い強度を有する段ボール箱等を使用している。
【０００９】
また、従来の感光性印刷版の包装では、包装された感光性印刷版の束を自動製版機の感光性印刷版供給装置に装填する際、明室中で容易に開梱の作業をできるようにするため、感光性印刷版の束を、２分割可能な包装材で包装しておき、自動製版機の感光性印刷版供給装置内に２分割可能な包装材で包装されている感光性印刷版の束を内部にセットし、蓋を閉じて遮光状態にしてから、閉じた蓋の隙間からはみ出させた２分割可能な包装材の一方を引き出すことにより、感光性印刷版供給装置内で遮光状態を保ったまま包装材の一部を取り去る手段が提案されている（例えば、特許文献１参照。）。
【００１０】
さらに、従来の自動製版機の感光性印刷版供給装置では、暗室中で感光性印刷版の包装を開梱して、感光性印刷版の裏面からそれぞれ厚紙（当てボール）を取り除いてから複数枚の感光性印刷版及び合紙の束を印刷版包装箱に収納し、開閉蓋を閉じて遮光し、これを明室中に配置した自動製版機の感光性印刷版供給装置へ運んで、感光性印刷版供給装置内の印刷版供給カセットへ装填し、感光性印刷版供給装置の扉を閉じて装置内部を遮光してから、自動装置で印刷版包装箱の開閉蓋を開き、印刷版包装箱の内部に収納した感光性印刷版の束から自動供給装置の枚葉供給装置によって感光性印刷版を１枚ずつ分離して露光処理部側へ搬出できるようにするために、印刷版包装箱に遮光性を保って収納し明室中を持ち運び可能とする手段が提案されている（例えば、特許文献２参照。）。
【００１１】
しかし、前述のような従来の感光性印刷版供給装置内で遮光状態を保ったまま包装材の一部を取り去る手段では、感光性印刷版供給装置内で遮光状態を保ったまま包装材が取り去られた感光性印刷版の感光面の表面から合紙を取り除いて廃棄場所にストックさせるようにするため、構造が複雑で大型の合紙取り除き用の自動装置が別途必要となるので、感光性印刷版供給装置を備えたＣＴＰシステムが大型化し高価になるという問題がある。
【００１２】
また、印刷版包装箱に遮光性を保って収納し明室中を持ち運び可能とする手段では、感光性印刷版の束を感光性印刷版供給装置へ供給する場合に、作業者が、暗室中で、内装紙により包装を開梱して感光性印刷版と合紙とを交互に積層した束を取り出し、束の表、裏面の各厚紙を取り除いてから、印刷版包装箱に収納して開閉蓋を閉じる。
【００１３】
次に、作業者は、感光性印刷版と合紙とを交互に積層した束を収納した印刷版包装箱を、感光性印刷版供給装置内の印刷版供給カセットへ装填し、感光性印刷版供給装置の扉を閉じて装置内部を遮光する。
【００１４】
すると、感光性印刷版供給装置では、自動装置で印刷版包装箱の開閉蓋を開き、印刷版包装箱の内部に収納した感光性印刷版と合紙とを交互に積層した束から自動供給装置の枚葉搬出機構によって感光性印刷版だけを１枚ずつ分離し露光処理部側へ搬出する動作を行うと共に、合紙取り出し機構によって感光性印刷版の感光面上から合紙を分離し、この分離した合紙を合紙搬送機構によって合紙集積部へ搬送し、合紙集積部の合紙廃棄場所にストックさせる。
【００１５】
このように印刷版包装箱に遮光性を保って収納し明室中を持ち運び可能とする手段を用いたとしても、感光性印刷版供給装置には、感光性印刷版の感光面から合紙を取り除いて廃棄場所にストックさせるための、構造が複雑で大型のため広いスペースをとる合紙取り出し機構と合紙搬送機構と合紙集積部とを別途設置する必要があるので、感光性印刷版供給装置を備えたＣＴＰシステムの構造が複雑となり大型化し高価になるという問題がある。
【００１６】
また、このような感光性印刷版供給装置を備えたＣＴＰシステムでは、合紙取り出し機構と合紙搬送機構と合紙集積部とが連続して動作することによって、合紙を取り出す作業が終わらないと、次の感光性印刷版を取り出すための枚葉供給装置の動作を開始することができないため、感光性印刷版を露光処理部側へ搬出して供給する際の時間が長くかかり、画像形成装置の生産性を低下させる原因となっていた。
【特許文献１】特開平１１−３１４６８０号公報
【特許文献２】特開平１１−３１４７７１号公報
【発明の開示】
【発明が解決しようとする課題】
【００１７】
本発明は、上述の問題に鑑み、感光性印刷版だけを束にしたものを装填し、枚葉供給装置だけを用いて感光性印刷版だけを１枚ずつ分離し迅速に搬出できるようにすることにより、生産性を向上可能とし、装置の構成を簡素化すると共に小型化可能とし、廉価に製造可能とした、感光性印刷版の自動供給装置を新たに提供することを目的とする。
【課題を解決するための手段】
【００１８】
本発明の請求項１に記載の感光性印刷版の自動供給装置は、一方の感光性印刷版表面の感光面上に他方の感光性印刷版の裏面を直接接触させて積層した状態で運搬や保管が可能な特性を持つ感光性印刷版が所定複数枚重ねられて束にされたものを装填した状態で、感光性印刷版の束から、感光性印刷版を１枚づつ分離して露光装置へ搬出する枚葉供給装置を備えたことを特徴とする。
【００１９】
上述のように構成することにより、自動供給装置内に、合紙の介在無しで所定複数枚の感光性印刷版を積層し重ねて束にしたものを装填し、枚葉供給装置で感光性印刷版を１枚づつ分離して露光装置へ搬出することができるから、合紙取り出し機構によって感光性印刷版の感光面上から合紙を分離し、この分離した合紙を合紙搬送機構によって合紙集積部へ搬送し、合紙集積部の合紙廃棄場所にストックさせるための構成を、自動供給装置内に配置する必要を無くすことができる。さらに、合紙を分離し、搬送してストックさせる工程を省略して、感光性印刷版を次々に搬出できる。
【００２０】
本発明の請求項２に記載の感光性印刷版の自動供給装置は、一方の感光性印刷版表面の感光面上に他方の感光性印刷版の裏面を直接接触させて積層した状態で運搬や保管が可能な特性を持つ感光性印刷版が所定複数枚重ねられて束にされたものが、感光性印刷版の束の端部を載置する棚部材が設けられ、斜めに配置された支持台上に斜めに持たせ掛けるように載置される保管棚と、保管棚上に載置された感光性印刷版の束から、感光性印刷版を１枚づつ分離して引き出す搬出手段と、搬出手段で引き出された各感光性印刷版を、露光装置へ搬出する搬送路に沿って主搬送ベルトを配置した主搬送ベルト巻き掛け機構と、主搬送ベルトに感光性印刷版を圧接して保持する副搬送ベルトを配置した副搬送ベルト巻き掛け機構と、主搬送ベルトと、副搬送ベルトとを搬送方向上流側で添わせるように配置された中間ローラと、中間ローラから延出する主搬送ベルトに、搬出手段で引き出された感光性印刷版の先端を当てるガイド範囲を設定するよう配置された先端のローラと、を有することを特徴とする。
【００２１】
請求項３に記載の発明は、請求項２に記載の感光性印刷版の自動供給装置において、搬出手段を、搬出用ローラで構成したことを特徴とする。
【００２２】
請求項４に記載の発明は、請求項２に記載の感光性印刷版の自動供給装置において、搬出手段を、搬送用操作アームの先端に設けた吸盤を吸着させて感光性印刷版を持ち上げるようにして保持しながら搬送方向へ移動させるように構成したことを特徴とする。
【００２３】
前述のように構成することにより、自動供給装置内に、合紙の介在無しで所定複数枚の感光性印刷版を積層し重ねて束にしたものを装填し、枚葉供給装置で感光性印刷版を１枚づつ分離して露光装置へ搬出することができるから、合紙取り出し機構によって感光性印刷版の感光面上から合紙を分離し、この分離した合紙を合紙搬送機構によって合紙集積部へ搬送し、合紙集積部の合紙廃棄場所にストックさせるための構成を、自動供給装置内に配置する必要を無くすことができる。さらに、合紙を分離し、搬送してストックさせる工程を省略して、感光性印刷版を次々に搬出できる。また、感光性印刷版の束を保管棚上に斜めに持たせ掛けるように載置して、自動供給装置内の狭いスペースに収まるようにし、自動供給装置を小型化可能とする。これと共に、搬出手段で引き出された感光性印刷版の先端を、ガイド範囲にある主搬送ベルトで弾性的に受けて案内するので、感光性印刷版の感光面が損傷を受けることを防止できる。
【００２４】
本発明の請求項５に記載の感光性印刷版の自動供給装置は、一方の感光性印刷版表面の感光面上に他方の感光性印刷版の裏面を直接接触させて積層した状態で運搬や保管が可能な特性を持つ感光性印刷版が所定複数枚重ねられて束にされたものを収納する、開閉蓋部が開閉可能に装着された遮光カセットと、遮光カセット内で感光性印刷版の束を載置するように設置された台座部材と、遮光カセットが、開閉蓋部を開放して接続された状態で、遮光カセットに穿設された操作用開口を通して操作部材を延出して台座部材を押し上げる搬送高さ調整機構と、台座部材上に載置された最上位の感光性印刷版に転接して搬出する搬出用ローラと、搬出用ローラで引き出された各感光性印刷版を、露光装置へ搬出する搬送路に沿って主搬送ベルトを配置した主搬送ベルト巻き掛け機構と、主搬送ベルトに感光性印刷版を圧接して保持する副搬送ベルトを配置した副搬送ベルト巻き掛け機構と、主搬送ベルトと、副搬送ベルトとを搬送方向上流側で添わせるように配置された中間ローラと、中間ローラから延出する主搬送ベルトに、搬出手段で引き出された感光性印刷版の先端を当てるガイド範囲を設定するよう配置された先端のローラと、を有することを特徴とする。
【００２５】
上述のように構成することにより、自動供給装置内に、合紙の介在無しで所定複数枚の感光性印刷版を積層し重ねて束にしたものを装填し、枚葉供給装置で感光性印刷版を１枚づつ分離して露光装置へ搬出することができるから、合紙取り出し機構によって感光性印刷版の感光面上から合紙を分離し、この分離した合紙を合紙搬送機構によって合紙集積部へ搬送し、合紙集積部の合紙廃棄場所にストックさせるための構成を、自動供給装置内に配置する必要を無くすことができる。さらに、合紙を分離し、搬送してストックさせる工程を省略して、感光性印刷版を次々に搬出できる。また、搬出手段で引き出された感光性印刷版の先端を、ガイド範囲にある主搬送ベルトで弾性的に受けて案内するので、感光性印刷版の感光面が損傷を受けることを防止できる。
【発明の効果】
【００２６】
本発明の感光性印刷版の自動供給装置によれば、合紙を廃止して感光性印刷版だけを束にしたものを装填するので、枚葉供給装置により感光性印刷版を１枚ずつ分離し迅速に搬出して生産性を向上し、感光性印刷版の感光面から合紙を取り除いて廃棄場所にストックさせるための構造が複雑で大型のため広いスペースをとる合紙取り出し機構と合紙搬送機構と合紙集積部とを削減し装置の構成を簡素化して小型化可能とすると共に廉価に製造可能とするという効果がある。
【発明を実施するための最良の形態】
【００２７】
本発明の感光性印刷版の自動供給装置に関する実施の形態について図１乃至図５により説明する。本実施の形態に係わる感光性印刷版の自動供給装置は、現在市販されている一般の感光性印刷版（ＰＳ版）と比較して、感光性印刷版の表面に感光剤を塗布して形成された感光面が外力に対し強く（２０倍以上）、合紙の保護を必要としないフォトポリマＰＳ版である、いわゆる合紙無し感光性印刷版（合紙無しＰＳ版）を所定複数枚束にしたものを装置内に装填し、枚葉供給装置で各感光性印刷版を１枚づつ分離して搬出する送給作業を可能に構成する。
【００２８】
すなわち、この感光性印刷版の自動供給装置に用いる合紙無し感光性印刷版は、所定サイズの長方形の板状に形成された薄いアルミニウム板である支持体上に、感光材料を含有する感光面（画像記録層である感光剤面）を塗布して形成された感光面が設けられている。
【００２９】
この感光性印刷版の自動供給装置に用いる合紙無し感光性印刷版は、これを製造してから所定複数枚の感光性印刷版を、合紙を廃止して、感光性印刷版の表面に当たる感光面（感光剤面であるＥｍ面）に感光性印刷版の裏面に当たる（ＰＳ版アルミ面であるＢａｃｋ面）を直接接触させる状態で積層して束にした状態で、運搬や保管を行い、さらに感光性印刷版の母材であるアルミ面で感光面を擦りながら感光性印刷版を１枚づつ分離して搬出しても、傷や圧力カブリ等を生じないという特性を持つ。
【００３０】
図２及び図３に示すように、合紙無し感光性印刷版１０は、合紙無しで所定複数枚積み重ねられることにより直方体の束にされた状態で、コンピュータ等のデジタルデータに基づいてレーザ露光処理をし、自動現像機で感光性印刷版１０上に形成された潜像を顕像に変換する現像処理をして直接印刷版を製版するＣＴＰ（Ｃｏｍｐｕｔｅｒ  ｔｏ  Ｐｌａｔｅ）システムの内部へ遮光状態で供給するのに好適なものとなっている。
【００３１】
図１及び図２に示すように、このＣＴＰシステムは、合紙無しで所定複数枚積み重ねられた感光性印刷版１０の束が供給される自動供給装置１１０と、この自動供給装置１１０に連続して感光性印刷版１０の束から感光性印刷版１０（ＰＳ版）を１枚づつ分離して供給する枚葉供給装置１１２と、インナードラム露光装置（モノゴンスキャナー）１１４と、バッファ装置１１６と、現象処理装置１１８とを備える。
【００３２】
このＣＴＰシステムにおける自動供給装置１１０は、その内部で枚葉供給装置１１２と連続するように構成されている。この枚葉供給装置１１２を構成するため、自動供給装置１１０の内部には、保管棚１４４を設置する。この保管棚１４４は、自動供給装置１１０の床面からインナードラム露光装置１１４側の上部へかけて斜めに配置した支持台１６０に、高さ位置を調整可能なように棚部材１６２を装着して構成する。このように構成する場合には、保管棚１４４を水平に配置する場合と比較して自動供給装置１１０の水平方向の大きさを削減して装置の小型化を図ることができる。
【００３３】
このように構成した保管棚１４４に、合紙無しで所定複数枚積み重ねられた感光性印刷版１０の束を載置するには、図２及び図３に示すように、この束の搬送方向下流側端部を棚部材１６２の上に載せて支持台１６０の表面に斜めに持たせ掛けるようにして載置する。
【００３４】
また、この枚葉供給装置１１２には、保管棚１４４の上側の位置に、図示しない操作装置でピックアップ位置と退避位置との間を移動操作される、搬出手段としての搬出用ローラ（ピックアップローラ）１４６を装着する。この枚葉供給装置１１２では、ピックアップ位置に移動された搬出用ローラ１４６が保管棚１４４に載置された感光性印刷版１０の束の１番上にある感光性印刷版１０に転接して、１枚だけを分離し搬送ベルト巻き掛け機構へ送給する。
【００３５】
この搬送ベルト巻き掛け機構には、各感光性印刷版１０を保管棚１４４からインナードラム露光装置１１４まで搬送するために、主搬送ベルト１４８を張架した主搬送ベルト巻き掛け機構１５０と、副搬送ベルト１５２を張架した副搬送ベルト巻き掛け機構１５４とを設置する。
【００３６】
この主搬送ベルト巻き掛け機構１５０は、保管棚１４４上部に当たる感光性印刷版１０の搬入位置から、インナードラム露光装置１１４への搬出位置との間に搬送ベルト１４８を張架して搬送路を構成する。
【００３７】
また、副搬送ベルト巻き掛け機構１５４は、主搬送ベルト巻き掛け機構１５０における主搬送ベルト１４８の下側に設定される搬送路の一部を共用して搬送中の感光性印刷版１０が脱落することを防止するよう構成する。
【００３８】
このため、副搬送ベルト巻き掛け機構１５４は、主搬送ベルト１４８における、保管棚１４４から搬出された各感光性印刷版１０の先端が突き当てられるガイド範囲より搬送方向下流側の中間ローラ１５６から、主搬送ベルト１４８の下側に設定される搬送路の出口に近い中間ローラ１５８の区間で、主搬送ベルト１４８と副搬送ベルト１５２とが添うようになって走行するよう巻き掛けて構成する。
【００３９】
上述のように構成された枚葉供給装置１１２を備えた自動供給装置１１０に合紙無しで所定複数枚積み重ねられた感光性印刷版１０の束を装填する場合には、図示しないが、作業者が、暗室中で、包装材で包装されている感光性印刷版１０の束を外箱から取り出して用意する。
【００４０】
次に、作業者は、暗室中で自動供給装置１１０の扉１４２を開け、その内部に斜めに配置した保管棚１４４上に感光性印刷版１０の束を置いて、扉１４２を閉じて遮光し、自動供給装置１１０内を暗室とする。
【００４１】
次に、合紙無しで所定複数枚積み重ねられた感光性印刷版１０の束が保管棚１４４に装填された自動供給装置１１０内の枚葉供給装置１１２では、図２及び図３に示すように、最上位に位置する感光面１０Ａに、搬出用ローラ１４６を転接させて、各感光性印刷版１０を搬出させる動作を行い各感光性印刷版１０が順次搬出される。
【００４２】
図２及び図３に示すように、枚葉供給装置１１２では、退避位置からピックアップ位置へ移動操作された搬出用ローラ１４６が、感光性印刷版１０の束の１番上にある感光性印刷版１０に転接して、１枚だけを分離し主搬送ベルト巻き掛け機構１５０へ送給する。
【００４３】
この主搬送ベルト巻き掛け機構１５０では、搬出用ローラ１４６によって１枚だけ分離されて搬出された感光性印刷版１０の先端が、主搬送ベルト１４８における先端の第１ローラ１５１と中間ローラ１５６との間に張架された部分に相当するガイド範囲１４８Ａに当たり、主搬送ベルト１４８の走行動作に従って中間ローラ１５６側へ搬送される。
【００４４】
この枚葉供給装置１１２では、搬出用ローラ１４６によって搬出された感光性印刷版１０の先端が、ガイド範囲１４８Ａに張架されている主搬送ベルト１４８に当たり、主搬送ベルト１４８が弾力的に容易に変形して感光性印刷版１０に衝撃を与えないように受けると共に、感光性印刷版１０の先端が当たった部分の主搬送ベルト１４８が略への字状に変形し、感光性印刷版１０が撓んでその先端部が中間ローラ１５６の位置で主搬送ベルト１４８と副搬送ベルト１５２との間にスムーズに挟み込まれるようにできる。このように感光性印刷版１０は、その先端が主搬送ベルト１４８に当たったときに、弾力的に柔らかく受けられるので、感光面１０Ａを形成する感光層に外傷を受けないようにできる。
【００４５】
また、この枚葉供給装置１１２では、感光性印刷版１０の束から何枚目の感光性印刷版１０を搬出する場合であっても、搬出用ローラ１４６が転接して引き上げられる感光性印刷版１０の先端が必ずガイド範囲１４８Ａ内で主搬送ベルト１４８に当たるようにし適切に搬出できる。
【００４６】
よって、この枚葉供給装置１１２では、感光性印刷版１０の束から感光性印刷版１０が引き出される毎に、その引き出し位置が変わっても適切に搬出できるから、保管棚１４４に感光性印刷版１０の引き出し位置を調整するための複雑な装置を設ける必要がないので、構成を簡素化し、装置ほ小型化することができる。
【００４７】
そして、先端を主搬送ベルト１４８にガイドされた感光性印刷版１０は、中間ローラ１５６の位置で、主搬送ベルト１４８と副搬送ベルト１５２との間に挟み込まれて挟持された状態で搬送路上を搬送され、出口に近い中間ローラ１５８の位置で挟持状態を開放され、インナードラム露光装置１１４へ搬入される。
【００４８】
このＣＴＰシステムにおけるインナードラム露光装置１１４は、円弧内周面形状（円筒内周面の一部を構成する形状）の支持体１３４を母体として構成されており、この支持体１３４の内周面に沿って感光性印刷版１０を支持するようになっている。
【００４９】
このインナードラム露光装置１１４では、図示しない真空吸着手段によって、未記録の記録媒体である感光性印刷版１０を支持体１３４の内周面に確実に密着させて沿わせた状態に保持してから露光処理を行う。
【００５０】
このインナードラム露光装置１１４では、支持体１３４の円弧中心位置に、光ビーム偏向器としてのスピナーミラー装置１３６を配設する。このスピナーミラー装置１３６は、反射鏡部材（スピナーミラー）１３８を頂面に配置した回転軸１４０を、図示しない制御装置のスピナードライバによって回転制御がされる駆動源としてのモータによって高速回転可能に構成する。このスピナーミラー装置１３６では、回転軸１４０の回転中心軸を支持体１３４の円弧中心軸と一致するように構成する。
【００５１】
このスピナーミラー装置１３６では、光源側の光学系から投射された光ビームを、回動する反射鏡部材１３８の反射鏡面に反射させて感光性印刷版１０の感光面に対して主走査方向への走査露光を行う。
【００５２】
このスピナーミラー装置１３６は、図示しない副走査移動手段によって、支持体１３４の円弧中心軸の軸線方向（図２の表面から裏面に貫通する方向）に等速度で移動制御されることにより副走査する。
【００５３】
このためスピナーミラー装置１３６では、制御装置のスピナードライバによって、そのモータの回転制御がされると共に、図示しない副走査移動手段により副走査方向に移動制御される。
【００５４】
このように構成されたスピナーミラー装置１３６は、光源側の光学系から投射され画像情報に応じて変調された光ビームを、回動する反射鏡部材１３８の反射鏡面に反射させて主走査方向への走査露光を行いながら、スピナーミラー装置１３６を副走査方向へ移動することによって、感光性印刷版１０の記録面全面に対して２次元の画像を記録する処理を行う。
【００５５】
このＣＴＰシステムに設けるバッファ装置１１６は、インナードラム露光装置１１４で露光処理された感光性印刷版１０を、搬送速度を調整することによって所要のタイミングで現象処理装置１１８へ搬入する機能を有する。
【００５６】
現象処理装置１１８は、搬入されて来た露光済の感光性印刷版１０に対する現像処理を行って潜像を顕像化して印刷版を製版する。
【００５７】
また、上述した図２及び図３に示すように構成されたＣＴＰ（Ｃｏｍｐｕｔｅｒ  ｔｏ  Ｐｌａｔｅ）システムでは、その枚葉供給装置１１２における、感光性印刷版１０の束の１番上にある感光性印刷版１０だけを分離し主搬送ベルト巻き掛け機構１５０へ送給するための搬出手段として搬出用ローラ１４６を用いたが、図４に示すように、この搬出手段を、吸盤で吸着して搬出する操作を行うように構成しても良い。
【００５８】
この吸盤を利用した搬出手段では、感光性印刷版１０の束の１番上にある感光性印刷版１０の表面に、搬送用操作アーム２１の先端に設けた吸盤１９を吸着させて感光性印刷版１０を持ち上げるようにして保持しながら搬送方向へ移動させることにより、１枚だけ分離して搬出するように構成することができる。なお、搬出手段は、その他種々の構成のものを利用することができる。
【００５９】
次に、ＣＴＰシステムにおける枚葉供給装置１１２に係わる他の構成例について、図５により説明する。
【００６０】
図５に示すものでは、合紙無しで所定複数枚積み重ねられた感光性印刷版１０の束を遮光カセット２００内に収納した状態で自動供給装置１１０へ供給するよう構成する。この遮光カセット２００は、矩形箱状の下ケース２０４における開放された上部に、これより一回り大きい形状に形成した上ケース２０２を被せて、遮光状態に密閉可能に構成する。
【００６１】
さらに、上ケース２０２には、その自動供給装置１１０への装着側端部にヒンジで開閉可能に装着された開閉蓋部２０２Ａを一体的に構成する。また、遮光カセット２００の内部には、盆状に形成された台座部材２０６を配置し、この台座部材２０６の上に合紙無しで所定複数枚積み重ねられた感光性印刷版１０の束を載置する。
【００６２】
このように感光性印刷版１０の束を収納した遮光カセット２００は、持ち運び用のトロリー２０８上に載せた状態で、自動供給装置１１０に接続し、開閉蓋部２０２Ａを開いて内部の感光性印刷版１０を搬出可能にセットされる。
【００６３】
また、このようにセットされた遮光カセット２００における自動供給装置１１０の遮光された空間内部に臨む、下ケース２０４の所定部分には、台座部材２０６の操作用開口２１０を穿設する。
【００６４】
さらに、自動供給装置１１０の内部には、上下に伸縮操作される棒状の操作部材２１２を備えた搬送高さ調整機構２１４を配置する。この搬送高さ調整機構２１４は、操作部材２１２を上方向に延出させ操作用開口２１０を通して台座部材２０６の裏側を押すことにより、台座部材２０６の上に載置された感光性印刷版１０の束の最上位にある感光性印刷版１０の表面を搬出用ローラ１４６に所定圧力で当接させられるように構成する。
【００６５】
なお、この自動供給装置１１０の内部には、遮光カセット２００の端部から主搬送ベルト巻き掛け機構１５０のガイド範囲１４８Ａに至る感光性印刷版１０の搬送路の下側に、感光性印刷版１０が自動供給装置１１０の内部に落下することを防止するためのガイド部材２１６を配置する。
【００６６】
この図５に示すように構成された枚葉供給装置１１２では、搬送高さ調整機構２１４が操作部材２１２を延出して台座部材２０６を持ち上げ、感光性印刷版１０の束の最上位にある感光性印刷版１０の表面を搬出用ローラ１４６に圧接した状態で、搬出用ローラ１４６を回転駆動し、その先端部からガイド範囲１４８Ａに当たって導かれ、中間ローラ１５６の位置で主搬送ベルト巻き掛け機構１５０と副搬送ベルト１５２との間にはさみ込まれるように搬出する。
【００６７】
さらに、２枚目以降の感光性印刷版１０を搬出する場合には、搬送高さ調整機構２１４を駆動制御して操作部材２１２を延出して台座部材２０６を持ち上げ、感光性印刷版１０の束の最上位にある感光性印刷版１０の表面を搬出用ローラ１４６に所定の圧接力で圧接してから上述と同様の動作により、搬出させる。
【００６８】
なお、図５に示す構成の枚葉供給装置１１２における以上説明した以外の構成、作用、効果は、前述した図２及び図３に示す枚葉供給装置１１２と同様であるので、その説明を省略する。
【図面の簡単な説明】
【００６９】
【図１】本発明の実施の形態に係わる感光性印刷版の自動供給装置を備えたＣＴＰ（Ｃｏｍｐｕｔｅｒ  ｔｏ  Ｐｌａｔｅ）システムの全体を示す斜視図である。
【図２】本発明の実施の形態に係わる感光性印刷版の自動供給装置を備えたＣＴＰシステム内部の全体的な概略構成図である。
【図３】本発明の実施の形態に係わる感光性印刷版の自動供給装置内に装填された感光性印刷版の束から各感光性印刷版を搬出する枚葉供給装置の部分を取り出して示す要部概略構成図である。
【図４】本発明の実施の形態に係わる感光性印刷版の自動供給装置内に装填された感光性印刷版の束から各感光性印刷版を搬出する、他の構成の枚葉供給装置に係わる部分を取り出して示す要部概略構成図である。
【図５】本発明の実施の形態に係わる感光性印刷版の自動供給装置内に装填された感光性印刷版の束から各感光性印刷版を搬出する、さらに他の構成の枚葉供給装置に係わる部分を取り出して示す要部概略構成図である。
【符号の説明】
【００７０】
１０  感光性印刷版
１０Ａ      感光面
１９  吸盤
２１  搬送用操作アーム
１１０      自動供給装置
１１２      枚葉供給装置
１１４      インナードラム露光装置
１１６      バッファ装置
１１８      現象処理装置
１４４      保管棚
１４６      搬出用ローラ
１４８      主搬送ベルト
１４８Ａ    ガイド範囲
１５０      主搬送ベルト巻き掛け機構
１５１      ローラ
１５２      副搬送ベルト
１５４      副搬送ベルト巻き掛け機構
１５６      中間ローラ
１６０      支持台
１６２      棚部材
２００      遮光カセット
２０２Ａ    開閉蓋部
２０６      台座部材
２１０      操作用開口
２１２      操作部材
２１４      調整機構
【図１】
2006176287.tif 000003
【図２】
2006176287.tif 000004
【図３】
2006176287.tif 000005
【図４】
2006176287.tif 000006
【図５】
2006176287.tif 000007